(57)【特許請求の範囲】
【請求項１】
コンベヤベルトの移動方向を横断する方向に配向した搬送ビームの下面に固締され、前記コンベヤベルトの移動方向に互いに離間させた無端コンベヤにより商品を移送するコンベヤ装置用の軸受装置組立体であって、
前記搬送ビームの両端各部の軸受ボルトに装着した搬送ローラで、前記コンベヤベルトの前進ストランドと後退ストランドを形成する前記コンベヤ装置の二対の搬送ロープ又は搬送レールに沿って転動する前記搬送ローラを備え、
前記軸受ボルトを、対応する前記搬送ビームの個別端部に取り外し可能に固締されてこれを抱持する上方に開口する樋として形成した増設部を有する、ことを特徴とする軸受装置組立体。
【請求項２】
前記搬送ビームは六角形断面を有しており、前記増設部の前記上方に開口する内面はその断面がほぼ台形形状をなす、請求項１記載の軸受装置組立体。
【請求項３】
前記増設部は前記軸受ボルトに対しオフセットさせ、軸受の軸と前記搬送ビームの中心軸とが少なくともほぼ同軸となるようにした、請求項１記載の軸受装置組立体。
【請求項４】
前記搬送ビームを前記増設部へ接続する１又は複数の螺子ボルトを備える、請求項１記載の軸受装置組立体。
【発明の詳細な説明】
【技術分野】
【０００１】
本発明は、コンベヤベルトにより商品を移送するコンベヤ装置用の軸受に係り、コンベヤベルトを偏向ドラムにより装置両端部にて案内し、コンベヤベルトの移動方向に対し横断方向に配向した搬送ビームの下面に固締し、コンベヤベルトの移動方向に互いに所定距離に配置してある。搬送ローラがいずれの場合も軸受ジャーナル上に装着した搬送ビームの両端に配設してあり、コンベヤベルトの前進ストランドと後退ストランドとに宛がったコンベヤ装置の二対の搬送ロープ又は搬送レールに沿って転動する。個々の軸受装置の軸受ボルトは、搬送ビームの宛がい端に取り外し可能に固締した増設部を用いて設計してある。
【０００２】
（関連出願）
本出願の原出願は、２００７年７月２４日出願のオーストリア特許出願公開第１１７３／２００７号に基づく米国特許法第１１９条による優先権を主張するものであり、この先願はその全体を本願明細書に取り込むものとする。
【背景技術】
【０００３】
この種のコンベヤ装置は、例えば先に本出願人に譲渡された公開を経た米国登録特許（特許文献１）とその対応欧州特許出願（特許文献２）に公知であり、搬送ビームはその端面に軸穴が設計してあり、この軸穴へは軸受装置の軸受ジャーナルから突出するボルト状増設部を挿入することができ、螺子ボルトにより搬送ビームへ固締してある。軸受装置を交換する必要がある限り、螺子ボルトは取り外さねばならず、軸受ジャーナルから突出する増設部は搬送ビーム内に配設された軸穴から引っ張り出さねばならない。
【０００４】
しかしながら、搬送ビームに対するこの軸受装置の公知の固締は要件に合致しておらず、何故なら軸受ジャーナルの搬送ビーム内に挿入するボルト状増設部や螺子ボルトが著しい腐食にさらされ、かくして搬送ビームと増設部との間に存する固締を解放して軸受装置を搬送ビームから取り外し新規の軸受装置と交換するのに困難を生ずる。
【０００５】
【特許文献１】公開を経た米国登録特許第６，９３５，４９０Ｂ２号明細書
【特許文献２】欧州特許出願公開第１４５２４６６Ａ１号明細書
【発明の開示】
【発明が解決しようとする課題】
【０００６】
本発明が礎とする目的は、それ故にコンベヤベルトにより商品を移送するコンベヤ装置用軸受を提供することにあり、この軸受装置では搬送ビームに対する軸受装置の固締がたとえ不利な条件の下でも何時でも簡単な方法で取り外せるよう設計する。
【課題を解決するための手段】
【０００７】
これら及び他の目的に鑑み、本発明によれば、コンベヤベルトの移動方向を横断する方向に配向した搬送ビームの下面に固締され、コンベヤベルトの移動方向に互いに離間させた無端コンベヤにより商品を移送するコンベヤ装置用の軸受装置組立体が提供され、それは、搬送ビームの両端各部の軸受ジャーナルに装着した搬送ローラで、コンベヤベルトの前進ストランドと後退ストランドを形成するコンベヤ装置の二対の搬送ロープ又は搬送レールに沿って転動する前記搬送ローラを備え、軸受ジャーナルが、対応する搬送ビームの個別端部に取り外し可能に固締されてこれを抱持する上方に開口する樋として形成した増設部を有する。
【０００８】
換言すれば、本発明の目的は、上方に開口する樋として増設部を設計し、この樋上に搬送ビームの宛がい端を配置できるようにし、これに取り外し可能に固締することで達成される。
【０００９】
好ましくは、搬送ビームはその断面が六角形の設計を有し、樋状増設部の内面は断面がほぼ台形状設計を有する。さらに、好ましくは、樋状増設部は軸受の軸と搬送ビームの中心軸とが少なくともほぼ同軸となるよう軸受ジャーナルに対しオフセットさせる。さらに、好ましくは搬送ビームの端部は螺子ボルトにより樋状増設部へ接続する。
【００１０】
本発明の特徴と考えられる他の特徴は、添付特許請求の範囲に記載してある。
【００１１】
本発明は、商品を移送するコンベヤ装置用の軸受にて実施する者として例示し説明するが、それでもそれを図示の細部に限定する意図はなく、何故なら本発明の趣旨から逸脱することなく、かつ特許請求の範囲の等価物の範囲及び領域内で様々な改変と構造的変形を施すことができるからである。
【００１２】
しかしながら、本発明の構成ならびに動作方法は、その追加の目的ならびに利点と併せ、添付図面を読むときに具体的実施形態の下記の説明から最もよく理解されよう。
【発明を実施するための最良の形態】
【００１３】
ここで、図面の各図を詳細に、先ず特にその図１を参照するに、商品を移送するコンベヤ装置内のコンベヤベルト１の一部が図示してある。コンベヤベルト１は、その二つの側方縁部に波形端部１１が形成してあり、これがコンベヤベルトをコンベヤ装置両端部にて偏向ドラムにより案内できるようにしている。さらにこのことから明らかな如く、コンベヤベルト１は複数の補強ロープ１２用いて構成してあり、このロープは互いに近接配置してあり、このお陰で前記コンベヤベルトは大きな搬送容量を有する。コンベヤベルト１はその移動方向に対し横断方向に延びる搬送ビーム２の下面に固締してあり、いずれの場合も弾性封止帯片３はコンベヤベルト１と搬送ビーム２との間に配置してある。搬送ビーム２に対するコンベヤベルト１の固締は、例えばコンベヤベルト１と搬送ビーム２とを挿通する螺子ボルト４により行われる。コンベヤベルト１と搬送ビーム２との間に配置した封止帯片３が、コンベヤベルト１と搬送ビーム２との間にいずれの場合も空隙が形成され、その中に搬送対象商品が貫入され、コンベヤベルト１が増大する摩耗にさらされる結果を伴なう状況を排除している。
【００１４】
走行ローラ５，５ａは、搬送ビーム２の両端に位置してある。走行ローラ５，５ａは、一対の搬送ロープ６，６ａと搬送レールに沿って案内される。この場合、移送対象商品を積載したコンベヤベルト１のストランドとコンベヤベルト１の非積載ストランドの両方にいずれの場合も一対の搬送ロープ６，６ａや搬送レールが宛がってあり、これに沿ってコンベヤベルト１が端末ステーション内に配置された偏向ドラム或いは駆動ドラム間を転動して移動する。
【００１５】
搬送ビーム２に対する走行ローラ５，５ａの固締は、軸受装置の増設部８により行われる。増設部８は、搬送ビーム２の宛がい端に固締してある。
【００１６】
ここで、図２を参照するに、走行ローラ５，５ａはいずれの場合も、走行ローラ５，５ａ内に配置した２個の軸受リング７１，７２と、これらの軸受リング７１，７２内に挿入した軸受ジャーナル７３或いは軸受ボルト７３からなる軸受装置７が宛がってある。軸受ボルト７３は、キャップ７５により覆われた固定螺子７４により軸方向に固定してある。さらに、潤滑剤供給用のダクト７６が軸受ボルト７３内に挿入してある。軸受ボルト７３は軸方向に突出する増設部８を用いて設計してあり、この増設部は上方に開口する樋として設計してあって、その内面は搬送ビーム２下面の外面に対向させ同一設計としてある。この場合、個々の搬送ビーム２の宛がい端を樋状設計内へ上方から挿入し、その中で２本の螺子８１により固締し、この螺子を搬送ビーム２の自由端に挿通させ、増設部８内に螺入させる。
【００１７】
軸受装置７が取り外せるようこの固締を解放すべく、二つの螺子８１を取り外し、そこで搬送ビーム２から下方へ増設部８を取り去ることができる。
【００１８】
搬送ビーム２に対する軸受装置７のこの種の固締のお陰で、軸受装置７の固締時の先行技術に属する欠点は排除される。
【００１９】
増設部８を用いて設計した軸受ジャーナル７３の設計が、図３と図３Ａから再度見て取ることができる。搬送ビーム２が中実輪郭として六角形断面を有するため、樋形状増設部８の内面は断面がほぼ台形となるよう対応設計してある。
【００２０】
さらに、増設部８がその軸を横断して軸受ジャーナル７３に対しオフセットさせてあるため、搬送ビーム２の中心軸と軸受ジャーナル７３の回転軸はほぼ同軸的に挿通させてある。
【図面の簡単な説明】
【００２１】
【図１】本発明になる移送装置の一部の不等角投影図である。
【図２】本発明になる軸受装置を示す一部断面側面図である。
【図３】本発明になる軸受の本発明になる増設部を用いて設計した軸受ジャーナルの不等角投影図である。
【図３Ａ】その断面図である。
【符号の説明】
【００２２】
１  コンベヤベルト
２  搬送ビーム
３  封止帯片
４  螺子
５，５ａ  走行ローラ
６，６ａ  搬送ロープ
７  軸受装置
７１，７２  軸受リング
７３  軸受ジャーナル（軸受ボルト）
７４  固定螺子
７５  キャップ
７６  ダクト
８  増設部
８１  螺子
１１  波形端部
１２  補強ロープ
【図１】
0005245152.tif 000002
【図２】
0005245152.tif 000003
【図３】
0005245152.tif 000004
【図３Ａ】
0005245152.tif 000005